(57)【特許請求の範囲】
【請求項１】
蓋が筐体の開口に対して一端側を中心に回動し、上記筐体に対して閉じられた第１位置から、当該開口を開放する第２位置まで回動可能な開閉装置であって、
上記筐体は、上記開口の周辺に孔が設けられており、当該孔の周辺に、当該孔の周縁より上記蓋の回動中心から遠くに位置し且つ上記筐体の奥部に向けられた第１面、及び上記蓋の回動中心線に沿った向きにおいて当該孔の周縁より当該孔の中心から遠くに位置し且つ上記蓋の回動中心から離れる向きに向けられた第２面が形成されたものであり、
上記蓋は、第１位置及び第２位置へ回動して上記開口を開閉する本体と、当該本体から延出されて上記孔に挿通されており、表裏面が上記蓋の回動方向に平行な平板形状のアームと、を有するものであり、
上記アームは、
上記平板形状の側縁に形成されており、通常使用時に上記第１面と当接して、上記本体が第２位置より開く向きへ回動することを制止する第１当接面と、
上記アームの厚み方向中央よりも片側に形成されており、上記本体が開く向きへの所定以上の力が加わった際に、上記第２面と当接する第２当接面と、
上記第１当接面から上記アームの先端側に連続して設けられており、上記第１当接面に対して傾斜された傾斜面と、を有しており、
上記本体が開く向きへの所定以上の力によって上記アームが上記蓋の回動中心側へ移動し、上記傾斜面が上記孔の周縁から押圧され、且つ上記第２当接面が上記第２面から押圧されて、上記アームを弾性変形させ、
上記アームの弾性変形によって、上記孔の周縁と上記傾斜面との当接、及び上記第２面と上記第２当接面との当接が解除されて、上記アームが上記筐体から抜き出される開閉装置。
【請求項２】
上記第１当接面は、上記アームが脱抜される向きにおいて、上記第１面と当接し、
上記第２当接面は、上記蓋の回動中心側へ向かう向きにおいて、上記第２面と当接する請求項１に記載の開閉装置。
【請求項３】
上記蓋の回動中心である軸線方向から見て、上記第１面に沿った第１仮想直線と上記第２面に沿った第２仮想直線とによって、上記第１面及び上記第２面がそれぞれ面する空間側になされる角が鋭角である請求項１又は２に記載の開閉装置。
【請求項４】
上記アームが延出する長手方向が、上記蓋の回動方向に沿った円弧状である請求項１から３のいずれかに記載の開閉装置。
【発明の詳細な説明】
【技術分野】
【０００１】
本発明は、蓋が筐体に対して一端側を中心に回動して開閉が行われる開閉装置に関する。
【背景技術】
【０００２】
従来より、筐体に取り付けられた蓋が筐体に対して一端側を中心に回動して開閉が行われる開閉装置が知られている。このような回動式の開閉装置は、主として、機材の一部を外部から遮断して保護するため、そして、機材の一部を必要な時だけ外部からアクセス可能な状態にするために使用されている。回動式の開閉装置は、電子機器を初めとする様々な機材に使用されており、一例として、小物の収納容器、電子写真装置、及びカード挿入スロット等に使用されている。
【０００３】
また、回動式の開閉装置は、インクジェットプリンタにおいて、インクカートリッジを装着するスロットを外部に対して遮断又は開放するためにも使用されている。スロットは、筐体に形成された開口の奥に設けられている。平常時には、蓋が開口に対して閉じられた状態となっており、スロットは外部から遮断されている。インクカートリッジの交換の際、ユーザはスロットにアクセスするために蓋を回動させて、蓋が開口に対して開かれた状態にする。インクカートリッジの交換後、ユーザは蓋を逆向きに回動させて、再び蓋が開口に対して閉じられた状態にする。
【０００４】
開閉装置には、蓋の開きすぎを防止するアームを備えたものがある。一般的な構成では、アームは蓋から延設されており、アームの先端側が筐体に設けられた孔に挿入されている。蓋が閉じられた状態にあるとき、アームは筐体の内部に収容されている。蓋が開く向きに回動されると、アームは筐体の内部から部分的に脱抜されていく。アームの先端には突起等を有した係合部が形成されており、孔の周辺部位と係合するようになっている。係合部が孔の周辺部位と係合することで、アームは筐体の内部から完全には脱抜されず、蓋の回動が係止される。つまり、蓋は、所定の角度まで開かれると、それ以上開く向きに回動することはできず、蓋の開きすぎが防止される。
【０００５】
また、特許文献１には、蓋が閉じられた位置から筐体面に沿ってスライドすることで、蓋の開く向きへの回動が阻止される開閉装置が記載されている。
【先行技術文献】
【特許文献】
【０００６】
【特許文献１】特開２０１０−２２５４０２号公報
【発明の概要】
【発明が解決しようとする課題】
【０００７】
アームを備えた開閉装置において、蓋が最大まで開かれた状態で蓋に開く向きへの大きな力が加えられると、開閉装置を構成する部品が破損するおそれがある。蓋の設けられる位置や蓋が回動する向きによっては、蓋の回動が開閉装置が載置される載置面によって止められて、蓋の開きすぎが防止されることもある。しかしながら、蓋が開閉装置の上部に設けられている場合や、開閉装置がテーブルや台の端に置かれた場合には、蓋の回動が載置面によって止められないため、上述のような問題が起こりやすい。特に、突起等を有した係合部は、負荷によって破損しやすい。また、上述されたようなインクジェットプリンタには、アームが機械式センサとして機能しているものがある。そのような機種では、アームの位置によって蓋の開閉状態が判断されるため、アームの破損によって機器が正常に動作しなくなるおそれがある。
【０００８】
蓋が開く向きへ所定以上の力が掛かったときに係合部の係合が解除されるようにすることで、部品の破損を防止することができる。係合が解除されると、アームは筐体の内部から完全に脱抜された状態となる。その際、ユーザは再びアームを筐体の内部にセットする必要がある。通常の使用で係合が簡単に解除されてしまうと、ユーザは頻繁にアームを筐体の内部にセットすることになる。
【０００９】
本発明は、上記問題に鑑みてなされたものであり、その目的は、アームを備えた開閉装置において、通常の使用ではアームが筐体から外れにくく、開き方向に所定以上の力が加えられたときにはアームが筐体から外れることで、アームの破損を防止する開閉装置を提供することにある。
【課題を解決するための手段】
【００１０】
(1)  本発明は、蓋が筐体の開口に対して一端側を中心に回動し、上記筐体に対して閉じられた第１位置から、当該開口を開放する第２位置まで回動可能な開閉装置である。上記筐体は、上記開口の周辺に孔が設けられており、当該孔の内側に、上記筐体の奥部に向けられた第１面、及び上記蓋の回動中心側とは反対向きに向けられた第２面が形成されたものである。上記蓋は、第１位置及び第２位置へ回動して上記開口を開閉する本体と、当該本体から延出されて上記孔に挿通されており、表裏面が上記蓋の回動方向に平行な平板形状のアームと、を有するものである。上記アームは、上記平板形状の側縁に形成されており、通常使用時に上記第１面と当接して、上記本体が第２位置より開く向きへ回動することを制止する第１当接面と、上記アームの厚み方向中央よりも片側に形成されており、上記本体が開く向きへの所定以上の力が加わった際に、上記第２面と当接する第２当接面と、上記第１当接面から上記アームの先端側に連続して設けられており、上記第１当接面に対して傾斜された傾斜面と、を有している。上記本体が開く向きへの所定以上の力によって上記アームが上記蓋の回動中心側へ移動し、上記傾斜面が上記孔の周縁から押圧され、且つ上記第２当接面が上記第２面から押圧されて、上記アームを弾性変形させる。上記アームの弾性変形によって、上記孔の周縁と上記傾斜面との当接、及び上記第２面と上記第２当接面との当接が解除されて、上記アームが上記筐体から抜き出される。
【００１１】
蓋の本体が第２位置にあるとき、第１当接面が第１面と当接している。蓋が開く向きに所定以上の力が作用した際、第２当接面が第２面と当接することで、アームが回動中心側へ移動しすぎてアームと筐体との係合が簡単に解除されてしまうことを防止する。
【００１２】
蓋が開く向きに所定以上の力が作用するとき、アームが回動中心側へ移動することで、第２当接面が第２面によって押圧され、傾斜面が孔の周縁によって押圧された状態となる。上記２つの押圧力が、アームを捻れさせるモーメントとして作用し、アームが弾性変形される。アームの弾性変形により、孔の周縁と傾斜面との当接、及び第２面と第２当接面との当接が解除されてアームが筐体から抜き出される。
【００１３】
(2)  上記第１当接面は、上記アームが脱抜される向きにおいて、上記第１面と当接し、
上記第２当接面は、上記蓋の回動中心側へ向かう向きにおいて、上記第２面と当接してもよい。
【００１４】
(3)  上記蓋の回動中心である軸線方向から見て、上記第１面に沿った第１仮想直線と上記第２面に沿った第２仮想直線とによって、上記第１面及び上記第２面がそれぞれ面する空間側になされる角が鋭角であってもよい。
【００１５】
第１面と第２面とがこのような位置関係に形成されることで、第１当接面及び第２当接面は、第１面及び第２面と確実に当接することができる。
【００１６】
(4)  上記アームが延出する長手方向が、上記蓋の回動方向に沿った円弧状であってもよい。
【発明の効果】
【００１７】
本発明においては、通常の使用ではアームが筐体から外れにくく、また、開く向きに所定以上の力が加えられたときにはアームが筐体から外れるため、アームの破損を防止することができる。
【図面の簡単な説明】
【００１８】
【図１】図１は、本発明の実施形態に係る複合機１０の斜視図である（Ａ）は、蓋３０が閉位置にある状態を示すものである。（Ｂ）は、蓋３０が開位置にある状態を示すものである。
【図２】図２は、プリンタ部１１の内部構造を模式的に示す縦断面図である。
【図３】図３は、図１（Ｂ）の蓋３０周辺を拡大した要部拡大図である。
【図４】図４は、蓋３０周辺を拡大した正面図であって、蓋３０が開位置にある状態を示すものである。なお、内側筐体部材２５及び蓋３０以外の構成要素が省略されている。
【図５】図５は、蓋３０を複合機１０から取り外した状態を示す斜視図である。
【図６】図６は、蓋３０が開位置にあるときの係合部４１を示す斜視図である。なお、アーム４０以外の構成要素が省略されている。
【図７】図７は、係合部４１周辺を示す斜視図である。（Ａ）は、蓋３０が開位置にあるときの状態を示す。（Ｂ）は、蓋３０に所定以上の第１向き９０の力が作用している状態を示す。なお、内側筐体部材２５及びアーム４０以外の構成要素が省略されている。
【図８】図８は係合部４１周辺を示す正面図である。（Ａ）は、蓋３０が開位置にあるときの状態を示す。（Ｂ）は、蓋３０に所定以上の第１向き９０の力が作用している状態を示す。なお、内側筐体部材２５及びアーム４０以外の構成要素が省略されている。
【図９】図９は、図８（Ａ）の、Ａ−Ａ切断線における断面図である。
【図１０】図１０は、アーム４０が湾曲されて、アーム孔２３から脱抜される様子を示す正面図である。なお、内側筐体部材２５及びアーム４０以外の構成要素が省略されている。
【発明を実施するための形態】
【００１９】
以下に、適宜図面が参照されて、本発明の好ましい実施形態が説明される。なお、以下に説明される実施形態は本発明の一例にすぎず、本発明の要旨を変更しない範囲で、本発明の実施形態が適宜変更できることは言うまでもない。また、以下の説明では、複合機１０が使用可能に設置された状態（図１（Ａ）の状態）を基準として上下方向１５が定義され、蓋３０が設けられている側を手前側（正面）として前後方向１３が定義され、複合機１０を手前側（正面）から見て左右方向１４が定義される。
【００２０】
［複合機１０の概要］
図１に示される複合機１０（本発明の開閉装置の一例）は、筐体２０（本発明の筐体の一例）の内部に、インクジェット記録方式のプリンタ部１１（図２）が収容されたものである。筐体２０は、複数の部材によって構成されているが、複合機１０の外部からは、複合機１０の側面を形成する外側筐体部材２６のみが視認可能である。
【００２１】
複合機１０の正面右側には、蓋３０が取り付けられている。蓋３０の裏側において、筐体２０の一部である内側筐体部材２５（図１（Ｂ），３，４）によって開口２１（本発明の開口の一例）が形成されている。蓋３０は、開口２１に対して開閉自在に取り付けられている。図１（Ｂ），３，４においては省略されているが、開口２１の奥部には、後述されるインクカートリッジ６４（図２）を装着するためのスロット６３（図２）が設けられている。複合機１０の正面中央には、記録用紙６１が積載された給紙トレイ１２（図１（Ｂ））が装着されている。給紙トレイ１２は、複合機１０に対して前後方向１３に挿抜可能となっている。
【００２２】
複合機１０は、ファクシミリ機能及びプリント機能などの各種の機能を有しているが、プリント機能以外の機能の有無は任意である。なお、本実施形態において、複合機１０はプリンタ機能として片面画像記録機能のみ有しているが、複合機１０は両面画像記録機能を有していてもよい。
【００２３】
［プリンタ部１１］
図２に示されるように、プリンタ部１１は、インクジェット記録方式に基づいて、記録用紙６１に対してインク滴を選択的に吐出することにより画像を記録するものである。プリンタ部１１は、インク供給装置６２を備えている。インク供給装置６２には、スロット６３が設けられている。スロット６３には、インクカートリッジ６４が装着され得る。スロット６３には、その一面が外部に開放された装着口６５が設けられている。インクカートリッジ６４は、装着口６５を介してスロット６３に挿入され、或いはスロット６３から抜き出される。
【００２４】
インクカートリッジ６４には、プリンタ部１１で使用可能なインクが貯留されている。スロット６３に装着された状態において、インクカートリッジ６４と、記録部６６のキャリッジ６７に設けられた記録ヘッド６８とがインクチューブ６９で接続されている。記録ヘッド６８にはサブタンク（不図示）が設けられている。サブタンクは、インクチューブ６９を通じて供給されるインクを一時的に貯留する。キャリッジ６７が左右方向１４（紙面に対して垂直な方向）に移動する中で、記録ヘッド６８は、インクジェット記録方式によって、サブタンクから供給されたインクをノズル（不図示）から選択的に吐出する。
【００２５】
給紙トレイ１２から給紙ローラ７０によって搬送路７１へ送給された記録用紙は、搬送ローラ対７２によってプラテン７３上へ搬送される。記録ヘッド６８は、プラテン７３上を通過する記録用紙６１に対してインクを選択的に吐出する。これにより、画像が記録用紙６１に記録される。プラテン７３を通過した記録用紙６１は、排出ローラ対７４によって、搬送路７１の最下流側に設けられた排紙トレイ７５に排出される。
【００２６】
［蓋３０］
図１に示されるように、筐体２０には、蓋３０が取り付けられている。蓋３０は、下端３３側を中心に上端３２側が第１向き９０（図１（Ａ））に回動して、開口２１に対して閉じられた閉位置（本発明の第１位置の一例、図１（Ａ）の位置）から、筐体２０に対して所定の角をなすように開かれた開位置（本発明の第２位置の一例、図１（Ｂ）の位置）まで姿勢変化可能である。また、蓋３０は、下端３３側を中心に上端３２側が第１向き９０とは反対向きの第２向き９１（図１（Ｂ））に回動して、開位置から閉位置に復帰することができる。
【００２７】
図３，４，５に示されるように、蓋３０は、概ね平板状の本体３１（本発明の本体の一例）と本体３１の裏面３４（図３，５）から延設された平板状のアーム４０とを有する。本体３１とアーム４０とは一体成形されており、例えば熱可塑性樹脂によって製造されていてもよい。アーム４０の先端には突起状の係合部４１（図５，６）が形成されている。
【００２８】
左右方向１４の両端部周辺において、本体３１は裏面３４側に湾曲されている。すなわち、本体３１は、上端３２又は下端３３側から見て略コの字状の形状を有している。本体３１の上端３２周辺において、裏面３４から突起３５が突出されている。突起３５は、蓋３０が閉位置にあるとき、後述される筐体２０の係止部（不図示）によって係止される。突起３５及び係止部は、自重や外部からの振動によって蓋３０が閉位置から開位置に姿勢変化することを防止するものである。
【００２９】
湾曲された本体３１の左右方向１４の両端部周辺から、内側に向かって回動用凸部３６（図５）が突出されている。回動用凸部３６は、長さ数ミリ程度の突起である。図５に示される角度からは、１つしか確認することはできないが、回動用凸部３６は、下端３３近くにおいて、左右方向１４に一対をなすように対向配置されている。回動用凸部３６は、後述される張り出し部２９（図３）に形成された２つの回動用凹部（不図示）にそれぞれ挿入されている。
【００３０】
アーム４０は、本体３１の裏面３４において、左右方向１４の右端付近から延設されている。アーム４０は、左右方向１４に薄平な平板であり、本体３１の下端３３側に湾曲されて円弧をなしている。左右方向１４からの平面視において円弧の接線と直交する方向の寸法（以下、単に幅と称される。）は、アーム４０の基端（本体３１側）において最も長く、先端側に向かって短くなっている。アーム４０は、後述される内側筐体部材２５のアーム孔２３（図３，４）に挿通されており、蓋３０の回動を案内すると同時に、蓋３０の開きすぎを防止するものである。
【００３１】
図５，６に示されるように、アーム４０の先端には、係合部４１が形成されている。係合部４１は、アーム４０の円弧の外周側に向けて突出する突起状である。
【００３２】
図６に示されるように、係合部４１において、左右方向１４の右側の面（本発明の表裏面の一方）からリブ４２が突出されている。係合部４１は、リブ４２によって、アーム４０の他の部分よりも左右方向１４に厚みを有している。リブ４２は、直線状に形成された２つの側面４３を有する。直線状に形成された２つの側面４３のうち、アーム４０が延出する第３向き９２に沿った側面４３によって、第２当接面４５が形成されている。詳細は後述されるが、第２当接面４５は、内側筐体部材２５の第２面２８と当接して、アーム４０を湾曲させる力を生ずるものである。
【００３３】
左右方向１４からの平面視における係合部４１の側縁（本発明における平板形状の側縁に相当）のうち、第３向き９２の基端側には、第１当接面４４が形成されている。第１当接面４４は、蓋３０が開位置にあるとき、後述される内側筐体部材２５の第１面２７に当接するものである。第１当接面４４から連続して、第３向き９２の先端側に傾斜面４８が形成されている。
【００３４】
傾斜面４８は、係合部４１の側縁に沿って形成された縦長の面であり、係合部４１の概ね左端に形成されている。アーム４０が開位置にあるとき、第１当接面４４及び傾斜面４８は、共に、前後方向１３の後方ほど上下方向１５の上方に位置するように傾斜されている。傾斜面４８の傾斜は、第１当接面４４の傾斜よりも緩やかである。つまり、前後方向１３において、傾斜面４８は、第１当接面４４に対して傾斜されている。
【００３５】
図６に示されるように、アーム４０の右側の面と第２当接面４５との連続部分には、アール４６が形成されていてもよい。すなわち、アーム４０の右側の面と第２当接面４５とが連続する部分が、曲面状に形成されていてもよい。アール４６は、後述される第２面２８が第２当接面４５を押圧する力に対して、係合部４１の剛性を高くするためのものである。
【００３６】
［筐体２０］
図１，３に示される筐体２０は、複数の部材が組み合わせられて構成されている。図３に示されるように、例えば、筐体２０は、内部空間を有する枠状の内側筐体部材２５と、複合機１０の側面を構成する外側筐体部材２６とを含むものである。
【００３７】
図３，４に示される内側筐体部材２５は、給紙トレイ１２よりも左右方向１４の右側に配置されている。内側筐体部材２５の内部空間が複合機１０の前面に露出されている。内側筐体部材２５の内部空間が複合機１０の前面に露出されることで、開口２１が形成されている。開口２１は矩形の孔であり、外部からスロット６３に繋がる通路を形成している。
【００３８】
外側筐体部材２６は、内側筐体部材２５を含む複合機１０の構成部材を左右方向１４及び前後方向１３に取り囲んでいる。すなわち、複合機１０の側面を形成している。ただし、複合機１０の前面において、給紙トレイ１２及び開口２１が存在する部分は外側筐体部材２６によってカバーされていない。内側筐体部材２５及び外側筐体部材２６は、例えば熱可塑性樹脂によって製造されてもよい。
【００３９】
開口２１の下方には、開口２１よりも前後方向１３の前方に張り出された張り出し部２９（図３）が形成されている。上述された通り、張り出し部２９の左右方向１４の両端には、不図示の２つの回動用凹部が形成されている。本体３１は、略コの字状に湾曲された左右方向１４の両端部周辺が、張り出し部２９を左右方向１４の外側から覆うように配置されている。回動用凸部３６は、それぞれ回動用凹部に挿入されている。すなわち、本体３１が張り出し部２９に嵌め込まれた状態になっている。これにより、本体３１は、２つの回動用凸部３６を結んだ仮想直線を中心に回動することができる。なお、図３，４に示される向きからは視認できないが、開口２１の上下方向１５の上方には、上述された突起３５を係止する係止部が形成されている。
【００４０】
開口２１の左右方向１４の右側には、アーム孔２３（本発明の孔の一例）が形成されている。アーム孔２３は、縦長形状の矩形の孔である。アーム孔２３の左右方向１４の寸法は、アーム４０の係合部４１の厚みよりも長く、上下方向１５の寸法は、アーム４０の最大の幅、すなわち最基端側における幅よりも長い。アーム孔２３にはアーム４０が挿通されている。アーム４０は、アーム孔２３の左右方向１４の概ね右側に寄るように位置している。
【００４１】
図７に示されるように、複合機１０の内側において、内側筐体部材２５におけるアーム孔２３の周辺には、互いに交差する平面である第１面２７及び第２面２８が形成されている。図７に示される角度からは確認できないが、アーム４０が内側筐体部材２５に挿通されている部分がアーム孔２３である。第１面２７は、アーム孔２３の奥部、詳細には、前後方向１３の後方であって上下方向１５のやや下方を向けられている。第２面２８は、蓋３０の回動中心とは反対側、つまり、上下方向１５の上方を向けられている。第１面２７は、アーム孔２３の周囲を構成する枠のうち、上下方向１５の上方の枠と左右方向１４の右側の枠に沿って形成されている。第２面２８は、アーム孔の周囲を構成する枠のうち、左右方向１４の右側の枠において、第１面２７と交差して形成されている。
【００４２】
第１面２７と第２面２８とがなす角は、鋭角である。つまり、左右方向１４から見て、第１面２７に沿って引かれた直線（本発明の第１仮想直線）と第２面２８に沿って引かれた直線（本発明の第２仮想直線）とが鋭角をなす。これにより、蓋３０が開位置にあるときに、係合部４１と、第１面２７及び第２面２８とが確実に係合された状態となる。
【００４３】
図９に示されるように、上下方向１５の上方から見て、第１面２７は、左右方向１４の右側ほど前後方向１３の前方に位置するように傾斜されている。詳細は後述されるが、この傾斜は、蓋３０が開かれる際、第１当接面４４を摺動させて、第２当接面４５と第２面２８とが当接する位置まで係合部４１を案内するものである。
【００４４】
［蓋３０及び筐体２０の動作］
蓋３０が閉位置にあるとき、すなわち、図１（Ａ）の状態において、アーム４０は、大部分がアーム孔２３の内部に収容されている。また、蓋３０の突起３５は、係止部によって係止されている。係止部が突起３５を係止する力を上回る第１向き９０の力が蓋３０に作用すると、突起３５の係止が解除されて、蓋３０は下端３３側を中心に第１向き９０に回動する。蓋３０が開位置まで回動すると、図７（Ａ），図８（Ａ）に示されるように、係合部４１がアーム孔２３の周辺まで移動して、第１当接面４４が第１面２７と当接した状態となる。通常の使用時には、この位置において蓋３０の回動が制止される。
【００４５】
一方、第１当接面４４が第１面２７と当接した状態から所定以上の第１向き９０の力が作用すると、係合部４１は、第１面２７に沿って上下方向１５の下方に移動する。その際、第１当接面４４は、図９に示される第１面２７の傾斜のため、第１面２７を第４向き９３に摺動する。こうして、係合部４１は、第２当接面４５と第２面２８とが当接する位置まで案内される。
【００４６】
第２当接面４５と第２面２８とが当接した状態が、図７（Ｂ），図８（Ｂ）に示される。図７（Ｂ）に示されるように、第２当接面４５は、第２面２８と当接している。また、図８（Ｂ）に示されるように、第１当接面４４は、第１面２７と当接した位置から僅かに上下方向１５の下方にずらされており、傾斜面４８の一部がアーム孔２３の周縁２４に当接した状態となっている。
【００４７】
第１当接面４４が第１面２７と当接した状態において、蓋３０に作用する第１向き９０の力が大きくなるほど、係合部４１が上下方向１５の下方に移動しようとする力も大きくなる。第２当接面４５は、アーム４０における左右方向１４の概ね右側に形成されている。したがって、第２面２８が、反作用によって第２当接面４５を押圧する力の一部は、係合部４１の上端側を左右方向１４の左側に傾斜させる第５向き９４（図１０）の力（モーメント）として作用する。同様に、傾斜面４８も、反作用によってアーム孔２３の周縁２４から押圧され、その力の一部は第５向き９４に作用する。
【００４８】
つまり、第２当接面４５と傾斜面４８との２箇所において、第５向き９４の力が作用して、アーム４０が湾曲される。係合部４１の上端側が左右方向１４の左側に傾斜されることで、傾斜面４８が左右方向１４の左側にずらされて、アーム孔２３の周縁２４との当接が解除される。傾斜面４８は、その状態でアーム孔２３の周縁２４を第１向き９０に摺動する。つまり、傾斜面４８の周辺部がアーム孔２３の外側に移動する、
【００４９】
傾斜面４８がアーム孔２３の周縁２４を摺動している状態が図１０に示される。アーム４０は湾曲されており、傾斜面４８は、周縁２４を第１向き９０（紙面手前側）に摺動している。
【００５０】
傾斜面４８の周辺部に続いて、リブ４２がアーム孔２３の外側に移動する。傾斜面４８がアーム孔２３の外側に移動するにつれて、係合部４１傾斜が大きくなる。それにより、第２面２８と第２当接面４５とのなす角が大きくなり、両者の当接が解除される。リブ４２は、第１面２７及び第２面２８の左側に外されて、アーム孔２３を挿通可能となる。以上の流れによって、アーム４０は、アーム孔２３から完全に脱抜される。
【００５１】
アーム孔２３から脱抜されたアーム４０は、ユーザが再びアーム孔２３にセットすることができる。ユーザは、手指によってアーム４０の係合部４１を第５向き９４に湾曲させた状態を維持しながら、アーム４０をアーム孔２３に挿入する。以上の手順によって、アーム４０は、再びアーム孔２３に挿通された状態となる。
【００５２】
［実施形態の作用効果］
本発明においては、通常の使用ではアーム４０が筐体２０から外れにくく、また、蓋３０に第１向き９０の所定以上の力が作用したときにはアーム４０が筐体２０から外れるため、アーム４０の破損を防止することができる。
【００５３】
また、傾斜面４８と第２当接面の２箇所においてアームを湾曲させる力が作用するため、アーム４０を無理なく湾曲させることができる。
【００５４】
また、アーム４０の左右方向１４の右側の面と第２接触面４５との連続部分には、アール４６が形成されているため、第２接触面４５を押圧する力に対する剛性が高くされている。したがって、蓋３０に第１向き９０の大きな力が作用して第２当接面４５が第２面２８から力を受けたとしても、係合部４１が破損することを防止することができる。
【００５５】
また、第１面２７の傾斜のため、係合部４１は、第２当接面４５が第２面２８と当接する位置まで案内される。つまり、第２当接面４５と第２面２８とを確実に当接させることができる。
【００５６】
また、本実施形態に係る蓋３０は、製造が容易であり、剛性が高い。
【００５７】
［変形例］
係合部４１の形状は上述された実施形態に限定されるものではなく、第１当接面４４及び第２当接面４５は、上述された実施形態と同等の機能を有するものあれば異なる形状又は配置によって形成されていてもよい。例えば、第２当接面４５は、必ずしもリブ４２によって形成されている必要はない。同様に、内側筐体部材２５の第１面２７及び第２面２８についても、上述された実施形態と異なる形状や配置によって形成されていてもよい。
【００５８】
また、上述された実施形態において、係合部４１の付け根部分がアーム４０の他の部分よりも曲がりやすくされていてもよい。係合部４１の付け根部分が曲がりやすくされることで、蓋３０に第１向き９０の力が作用した際に、係合部４１が傾斜しやすくなり、係合部４１の係合がスムーズに解除される。
【００５９】
例えば、係合部４１の付け根部分を曲がりやすくするため、係合部４１周辺の幅が他の部分と比較して狭く形成されてもよい。あるいは、係合部４１の周辺には、部分的に弾性係数の高い材料が使用されていてもよい。弾性係数の高い材料には、当業者が最適なものを選択することができる。その一例として、例えばフィラーを多く含んだ樹脂が使用されてもよい。
【００６０】
また、係合部４１周辺を曲がりやすくするため、係合部４１の付け根部分の厚みが薄くされてもよい。あるいは、係合部４１の付け根部分が湾曲しやすくするためにスリットが設けられてもよい。また、上述された方法のうちの複数が組み合わせられて使用されてもよい。
【００６１】
また、本発明に係る開閉装置は、必ずしも複合機１０のようなプリント機能を備えた機器として構成される必要はなく、蓋やアームは、必ずしもインクカートリッジ６４を装着するスロット６３に対して使用される必要はない。例えば、本発明は、上述されたように小物の収納容器、電子写真装置、及びカード挿入スロット等に使用されてもよい。つまり、機材の一部を外部に対して遮断及び開放することが求められるあらゆる機材が、本発明に係る開閉装置として構成されうるものである。
【符号の説明】
【００６２】
１０・・・複合機（開閉装置）
２０・・・筐体
２１・・・開口
２３・・・アーム孔（孔）
２４・・・周縁
２７・・・第１面
２８・・・第２面
３０・・・蓋
３１・・・本体
４０・・・アーム
４４・・・第１当接面
４５・・・第２当接面
４８・・・傾斜面
【図１】
0005850219.tif 000002
【図２】
0005850219.tif 000003
【図３】
0005850219.tif 000004
【図４】
0005850219.tif 000005
【図５】
0005850219.tif 000006
【図６】
0005850219.tif 000007
【図７】
0005850219.tif 000008
【図８】
0005850219.tif 000009
【図９】
0005850219.tif 000010
【図１０】
0005850219.tif 000011